(57)【特許請求の範囲】
【請求項１】
吸収性物品と、前記吸収性物品が固定されている包装シートとが、前記吸収性物品を内側にして、２以上の折軸に沿って折り畳まれている、吸収性物品の個包装体であって、
前記個包装体が、折り畳まれ、２層の部分と、３層以上の部分とを有する前記包装シートを接合している、一対の接合部を有し、
前記一対の接合部の少なくとも一方が、２層の部分から成る第１接合部と、３層以上の部分からなる第２接合部とに区画され、
第２接合部が、その層間且つ前記折軸に接しない領域に、前記層間の接合強度を低下させる接合強度低下剤を含み、
前記個包装体が、前記包装シートの、前記吸収性物品が固定されている内面に、前記接合強度低下剤が、前記一対の接合部の、一方の接合部から他方の接合部まで連続的又は間欠的に塗工されている塗工領域を備え、そして
前記個包装体が、前記包装シートの前記内面と、前記吸収性物品の、前記内面に対向する面との間に、それらを連結するための連結部を備え、前記連結部が、前記塗工領域と離間している、
ことを特徴とする、前記個包装体。
【請求項２】
第１接合部が、その層間に前記接合強度低下剤を含まない、請求項１に記載の個包装体。
【請求項３】
前記個包装体が、折り畳まれている前記包装シートを開封するための開封部を備え、第２接合部が、前記開封部を形成する層以外の、お互いに隣接する２つの層の層間に前記接合強度低下剤を含む、請求項１又は２に記載の個包装体。
【請求項４】
前記包装シートが、布帛である、請求項１又は２に記載の個包装体。
【請求項５】
前記吸収性物品が、液不透過性シートを備え、前記吸収性物品が、前記液不透過性シートの着衣当接面に、前記吸収性物品を着衣に固定するための固定部と、前記固定部を固定する剥離シートとを備え、前記剥離シートが前記連結部に連結されている、請求項１〜４のいずれか一項に記載の個包装体。
【請求項６】
前記個包装体が開封用タブを備え、前記開封用タブが、前記包装シートの、前記吸収性物品が固定されていない外面の、前記連結部に対応する部分に貼付されている、請求項１〜５のいずれか一項に記載の個包装体。
【請求項７】
前記接合強度低下剤が、親油性を有する、請求項１〜６のいずれか一項に記載の個包装体。
【請求項８】
前記接合強度低下剤が、芳香剤、冷感剤、消臭剤、抗菌剤、スキンケア剤、及びインク、並びにそれらの任意の組み合わせから成る群から選択される、請求項１〜７のいずれか一項に記載の個包装体。
【請求項９】
請求項１〜８のいずれか一項に記載の個包装体の製造方法であって、
前記接合強度低下剤を、前記包装シートに塗工するステップ、
前記吸収性物品を前記包装シートに連結するステップ、
前記吸収性物品及び包装シートを、２以上の折軸に沿って折り畳むステップ、そして
前記包装シートを、一対のエンボスロールでエンボスすることにより、前記一対の接合部を形成するステップ、
を含む、前記製造方法。
【発明の詳細な説明】
【技術分野】
【０００１】
本開示は、吸収性物品の個包装体、及び吸収性物品の個包装体の製造方法に関する。
【背景技術】
【０００２】
生理用ナプキン、パンティーライナー、使い捨てオムツ等の吸収性物品を、１つずつ包装シートで包むことにより個包装化された、吸収性物品の個包装体が知られている。吸収性物品を個包装化することにより、吸収性物品を１つずつ、簡易に且つ衛生的に持ち運ぶことができる。また、香料等の薬剤を含む、吸収性物品の個包装体も知られている。【０００３】
例えば、特許文献１では、吸収性物品と、該吸収性物品を個装している包装材とを有する吸収性物品の個装体において、該包装材が賦香されている吸収性物品の個装体が開示されている。特許文献１の段落［００２４］には、「香料中にはオイル成分が含まれていることが多い。従って、図１に示す個装体３０において、包装材１０の全域にわたり賦香すると、香料中に含まれているオイル成分に起因して、シール部３１のシール性が低下するおそれがある。シール部３１のシール性が低下すると、個装体３０の側部が口開きして見栄えが悪くなるばかりでなく、外部から異物が入り込む可能性があり衛生的に好ましくない。」と記載されている。【０００４】
また、特許文献２には、粘着部を有する吸収性物品と、該粘着部を被覆する剥離シートと、該粘着部が該剥離シートに被覆された状態の該吸収性物品を包装している包装シートとを有する吸収性物品の個装体であって、前記剥離シートが賦香されていることを特徴とする吸収性物品の個装体が開示されている。
特許文献２では、賦香は、剥離シートに行われている。
【先行技術文献】
【特許文献】
【０００５】
【特許文献１】特開２００６−２８８９８２号公報
【特許文献２】特開２００７−２５２８８６号公報
【発明の概要】
【発明が解決しようとする課題】
【０００６】
特許文献１及び２からも明らかなように、吸収性物品の個包装体では、包装シートの口開き等を避けるため、接合部は、香料等を含まないことが好ましいとされてきた。
本開示は、吸収性物品の取出し性に優れる個包装体を提供することを目的とする。
【課題を解決するための手段】
【０００７】
本開示者らは、吸収性物品と、上記吸収性物品が固定されている包装シートとが、上記吸収性物品を内側にして、２以上の折軸に沿って折り畳まれている、吸収性物品の個包装体であって、上記個包装体が、折り畳まれ、２層の部分と、３層以上の部分とを有する上記包装シートを接合している、一対の接合部を有し、上記一対の接合部の少なくとも一方が、２層の部分から成る第１接合部と、３層以上の部分からなる第２接合部とに区画され、そして第２接合部が、その層間且つ上記折軸に接しない領域に、上記層間の接合強度を低下させる接合強度低下剤を含むことを特徴とする個包装体を見出した。
【発明の効果】
【０００８】
本開示の個包装体は、吸収性物品の取出し性に優れる。
【図面の簡単な説明】
【０００９】
【図１】図１は、第１実施形態に従う吸収性物品の個包装体１の斜視図である。
【図２】図２は、図１に示される吸収性物品の個包装体１の一部開封状態を示す図である。
【図３】図３は、図１に示される吸収性物品の個包装体１の正面側の展開図である。
【図４】図４は、図１に示される吸収性物品の個包装体１の背面側の展開図である。
【図５】図５は、図１に示される吸収性物品の個包装体１の展開斜視図である。
【図６】図６は、図１のＶＩ−ＶＩ端面における端面図である。
【図７】図７は、第２実施形態に従う吸収性物品の個包装体１を説明するための図である。
【発明を実施するための形態】
【００１０】
本開示の吸収性物品は、以下の態様に関する。
［態様１］
吸収性物品と、上記吸収性物品が固定されている包装シートとが、上記吸収性物品を内側にして、２以上の折軸に沿って折り畳まれている、吸収性物品の個包装体であって、
上記個包装体が、折り畳まれ、２層の部分と、３層以上の部分とを有する上記包装シートを接合している、一対の接合部を有し、
上記一対の接合部の少なくとも一方が、２層の部分から成る第１接合部と、３層以上の部分からなる第２接合部とに区画され、そして
第２接合部が、その層間且つ上記折軸に接しない領域に、上記層間の接合強度を低下させる接合強度低下剤を含む、
ことを特徴とする、上記個包装体。
【００１１】
態様１に記載の個包装体では、接合強度低下剤が、厚さが厚いことに起因して接合強度が高くなりやすい第２接合部の接合強度を適度に下げるので、吸収性物品の取出し性が向上する。従って、態様１に記載の個包装体は、吸収性物品の取出し性に優れる効果を有する。
【００１２】
［態様２］
第１接合部が、その層間に上記接合強度低下剤を含まない、態様１に記載の個包装体。
態様２に記載の個包装体では、第１接合部が、第１接合部を構成する２層の部分の層間に接合強度低下剤を含まないので、第１接合部の２層の部分の層間の接合強度が下がりにくく、第１接合部の２層の部分の層間が、意図しない衝撃等で開封しにくい。従って、態様２に記載の個包装体は、意図しない衝撃等で開封しにくい効果を有する。
【００１３】
［態様３］
上記個包装体が、折り畳まれている上記包装シートを開封するための開封部を備え、第２接合部が、上記開封部を形成する層以外の、お互いに隣接する２つの層の層間に上記接合強度低下剤を含む、態様１又は２に記載の個包装体。
態様３に記載の個包装体では、第２接合部が、３層以上の部分のうち、開封部を形成する層以外の、お互いに隣接する２つの層の層間に接合強度低下剤を含むので、開封部の接合強度が低下せず、開封部がバッグの中等の意図しない衝撃等で開封しにくい。従って、態様３に記載の個包装体は、意図しない衝撃等で開封しにくい効果を有する。
【００１４】
［態様４］
上記包装シートが、布帛である、態様１又は２に記載の個包装体。
態様４に記載の個包装体では、包装シートが布帛であるため、第２接合部が含む接合強度低下剤が、個包装体の厚さ方向に移行しやすくなり、第２接合部において、接合強度低下剤が直接塗工された層間のみならず、それ以外の層間においても、接合強度が適度に下がりやすくなる。その結果、第２接合部全体において、接合強度が適度に下がりやすくなる。従って、態様４に記載の個包装体では、吸収性物品の取出し性に優れる効果を有する。
【００１５】
［態様５］
上記個包装体が、上記包装シートの、上記吸収性物品が固定されている内面に、上記接合強度低下剤が、上記一対の接合部の、一方の接合部から他方の接合部まで連続的又は間欠的に塗工されている塗工領域を備える、態様１〜４のいずれか一項に記載の個包装体。
態様５に記載の個包装体では、接合強度低下剤が、包装シートの内面に、接合強度低下剤が所定方向に連続的又は間欠的に塗工されている塗工領域を備えるので、一対の接合部のそれぞれにおいて、第２接合部が確実に接合強度低下剤を含み、第２接合部の接合強度を適度に且つ確実に下げることができる。従って、態様５に記載の個包装体は、個体差が少なく、吸収性物品の取出し性に優れる効果を有する。
【００１６】
［態様６］
上記個包装体が、上記包装シートの上記内面と、上記吸収性物品の、上記内面に対向する面との間に、それらを連結するための連結部を備え、上記連結部が、上記塗工領域と離間している、態様５に記載の個包装体。
態様６に記載の個包装体では、連結部が、接合強度低下剤の塗工領域と離間しているため、連結部の連結強度が低下しにくく、ひいては個包装体の内部で吸収性物品が動きにくく、意図しない衝撃等により、個包装体が開封しにくくなる。従って、態様６に記載の個包装体は、意図しない衝撃等で接合部が開封しにくい効果を有する。
【００１７】
［態様７］
上記吸収性物品が、液不透過性シートを備え、上記吸収性物品が、上記液不透過性シートの着衣当接面に、上記吸収性物品を着衣に固定するための固定部と、上記固定部を固定する剥離シートとを備え、上記剥離シートが上記連結部に連結されている、態様６に記載の個包装体。
態様７に記載の個包装体では、吸収性物品を着衣に固定するための固定部と、接合強度低下剤の塗工領域との間に、剥離シートが存在するため、接合強度低下剤により固定部の固定力が低下しにくい。従って、態様７に記載の個包装体は、吸収性物品の使用時に固定部の固定力に優れる効果を有する。
【００１８】
［態様８］
上記個包装体が開封用タブを備え、上記開封用タブが、上記包装シートの、上記吸収性物品が固定されていない外面の、上記連結部に対応する部分に貼付されている、態様６又は７に記載の個包装体。
態様８に記載の個包装体では、開封用タブが、接合強度低下剤の塗工領域と離間している連結部に対応する部分に貼付されている。その結果、使用者が開封用タブを把持して、個包装体の開封部を開封した際に、包装シートが裂けにくく、そして開封済みの包装シートを使って、使用済みの吸収性物品を包装する際に、開封用タブの再粘着性が阻害されにくい。従って、態様８に記載の個包装体は、開封用タブを把持して開封しやすく、そして開封用タブの再利用性に優れる効果を有する。
【００１９】
［態様９］
上記接合強度低下剤が、親油性を有する、態様１〜８のいずれか一項に記載の個包装体。
態様９に記載の個包装体では、接合強度低下剤が親油性を有するため、接合強度低下剤の、包装シートに対する濡れ性が高くなり、接合強度低下剤が、包装シート上で、そして第２接合部の層間で濡れ拡がりやすくなり、濡れ拡がった包装シートが、第２接合部の層間の接合強度を広く且つ適度に下げることができる。従って、態様９に記載の個包装体は、第２接合部の広範囲にわたって、吸収性物品の取出し性に優れる効果を有する。
【００２０】
［態様１０］
上記接合強度低下剤が、芳香剤、冷感剤、消臭剤、抗菌剤、スキンケア剤、及びインク、並びにそれらの任意の組み合わせから成る群から選択される、態様１〜９のいずれか一項に記載の個包装体。
態様１０に記載の個包装体では、接合強度低下剤が、吸収性物品に用いられる群から選択される。従って、態様１０に記載の個包装体は、簡易且つ高速で製造されうる効果を有する。
【００２１】
［態様１１］
態様１〜１０のいずれか一項に記載の個包装体の製造方法であって、
上記接合強度低下剤を、上記包装シートに塗工するステップ、
上記吸収性物品を上記包装シートに連結するステップ、
上記吸収性物品及び包装シートを、２以上の折軸に沿って折り畳むステップ、そして
上記包装シートを、一対のエンボスロールでエンボスすることにより、上記一対の接合部を形成するステップ、
を含む、上記製造方法。
態様１１に記載の個包装体の製造方法は、接合強度低下剤を複数の個包装体に連続して塗工することができるので、生産性に優れる効果を有する。また、態様１１に記載の個包装体の製造方法は、製造された個包装体が、吸収性物品の取出し性に優れる効果を有する。
【００２２】
本開示の吸収性物品の個包装体について、以下、詳細に説明する。
図１〜図６は、本開示の実施形態の１つ（第１実施形態）に従う、吸収性物品の個包装体１を説明するための図である。なお、本明細書では、「吸収性物品の個包装体」を、単に『個包装体』と称する場合がある。
【００２３】
具体的には、図１は、第１実施形態に従う個包装体１の斜視図であり、図２は、第１実施形態に従う個包装体１の一部開封状態を示す図であり、図３は、第１実施形態に従う個包装体１の正面側の展開図であり、図４は、第１実施形態に従う個包装体１の背面側の展開図であり、図５は、第１実施形態に従う個包装体１の展開斜視図であり、そして図６は、図１のＶＩ−ＶＩ端面における端面図である。なお、図６において、他方の接合部１０は、理解のしやすさの観点から、その一部のみが示されている。
【００２４】
第１実施形態に従う個包装体１は、長手方向Ｌ及び幅方向Ｗを有する吸収性物品３と、包装シート５とを含む。包装シート５は、略矩形の形状を有し、吸収性物品３と同一の長手方向Ｌ及び幅方向Ｗを有する。吸収性物品３は、吸収性物品３の長手方向（長手方向Ｌ）と、包装シート５の長手方向（長手方向Ｌ）が平行となるように、連結部６を介して包装シート５に連結されており、吸収性物品３及び包装シート５が、それらの長手方向Ｌに、それらの幅方向Ｗと平行な２本の折軸Ｆ1及び折軸Ｆ2に沿って折り畳まれている。折り畳まれている包装シート５は、三折り（具体的には、巻三折り）の折り畳み構造を有する。折り畳まれている吸収性物品３もまた、三折り（具体的には、巻三折り）の折り畳み構造を有する。
【００２５】
第１実施形態に従う個包装体１は、折り畳まれた包装シート５であって、２層の部分１５，１６と、３層以上の部分１７，１８とを有する折り畳まれた包装シート５を接合している、一対の接合部、すなわち、一方の接合部９及び他方の接合部１０を有する。一方の接合部９及び他方の接合部１０のそれぞれは、折り畳まれた包装シート５を、その厚さ方向に間欠的にエンボスすることにより形成されている。一方の接合部９及び他方の接合部１０は、それぞれ、包装シート５の長手方向Ｌの一方の側部７及び他方の側部８に配置されている。
なお、第１実施形態では、一方の接合部９の３層以上の部分１７と、他方の接合部１０の３層以上の部分１８との両方が、３層から構成されている。
【００２６】
一方の接合部９は、２層の部分１５から成る第１接合部１１と、３層以上の部分１７からなる第２接合部１３とに区画され、そして他方の接合部１０は、２層の部分１６から成る第１接合部１２と、３層以上の部分１８からなる第２接合部１４とに区画される。
一方の接合部９の第１接合部１１は、折軸Ｆ1に接する第１接合部１１'と、折軸Ｆ2に接する第１接合部１１''とに区画される。また、他方の接合部１０の第１接合部１２は、折軸Ｆ1に接する第１接合部１２'と、折軸Ｆ2に接する第１接合部１２''とに区画される。
一方の接合部９の第２接合部１３及び他方の接合部１０の第２接合部１４のそれぞれは、折軸Ｆ1及びＦ2に接していない。
【００２７】
吸収性物品３は、生理用ナプキンであり、液透過性シート１０１と、液不透過性シート１０３と、液透過性シート１０１及び液不透過性シート１０３の間の吸収体（図示せず）とを備える。
吸収性物品３はまた、液不透過性シート１０３の着衣当接面１０５に、吸収性物品３を着衣に固定するための固定部１０７と、固定部１０７を剥離可能に固定する剥離シート１０９とを備える。吸収性物品３はまた、液透過性シート１０１と、吸収体（図示せず）とを圧搾しているエンボス部１１１を備える。
なお、吸収性物品３は、公知の構造を有するので、その詳細な説明は省略する。
【００２８】
第１実施形態に従う個包装体１では、包装シート５が、長手方向Ｌにおいて、一方の端部２５と、他方の端部２６を有し、そして折り畳まれている包装シート５の、長手方向Ｌの一方の端部２５に、折り畳まれている包装シート５を開封するための開封部１９を備える。開封部１９は、開封用タブ２１を備える。折り畳まれている包装シート５は、内側を向き、吸収性物品３の剥離シート１０９と連結する連結部６と接する内面２７と、外側を向き、内面２７と反対側の外面２８とを有する。
【００２９】
折り畳まれている包装シート５はまた、一方の端部２５及び折軸Ｆ1の間の第１シート片２９と、折軸Ｆ1及び折軸Ｆ2の間の第２シート片３０と、折軸Ｆ2及び他方の端部２６の間の第３シート片３１とに区画される。個包装体１では、第１シート片２９、第３シート片３１及び第２シート片３０が、その順番で積み重ねられている。
【００３０】
開封用タブ２１は、一方の面に粘着材が塗布された粘着部２２と、使用者が開封のために把持する把持部２３とを有し、粘着部２２の一部（図示せず）が、包装シート５の一方の端部２５において、第１シート片２９の外面２８に固定され、粘着部２２の残部（図示せず）は、第３シート片３１の外面２８に固定されている。包装シート５は、その内面２７の一方の端部２５よりの部分（より具体的には、第１シート片２９の内面２７の一方の端部２５よりの部分）に、粘着材が塗工された封止部３３を備える。封止部３３は、第１シート片２９の内面２７と、第３シート片３１の外面２８とを連結し、折り畳まれた包装シート５の一方の端部２５から、ゴミ等が侵入することを抑制する。
【００３１】
使用者は、開封用タブ２１の把持部２３を把持し、開封部１９（すなわち、第１シート片２９）を開封し、開封部１９を第２シート片３０及び第３シート片３１から剥離し、次いで第３シート片３１を、第２シート片３０から剥離し、吸収性物品３を取出す。
【００３２】
個包装体１において、包装シート５の第２シート片３０の折軸Ｆ2よりの内面２７には、接合強度低下剤が、一方の接合部９から他方の接合部１０まで連続的に塗工され、接合強度低下剤の塗工領域３７が形成されている。その結果、図６に示されるように、他方の接合部１０の第２接合部１４は、その層間且つ折軸に接しない領域３５に接合強度低下剤（図示せず）を含む。具体的には、他方の接合部１０の第２接合部１４は、第２接合部を形成する、第１シート片２９、第３シート片３１及び第２シート片３０のうち、開封部１９を形成する層（すなわち、第１シート片２９）以外の、第３シート片３１及び第２シート片３０の間の領域３５に、接合強度低下剤を含む。
【００３３】
その結果、第２接合部１４において、第３シート片３１と、第２シート片３０との間の接合強度が適度に低下し、吸収性物品３の取出し性が向上する。また、第２接合部１４の接合強度を適度に低下させることができるため、他方の接合部９を、一対のエンボスロールで強めにエンボスし、第１接合部１２の接合強度を高めにすることができる。その結果、第１接合部１２の２層の部分の層間が、意図しない衝撃等で開封しにくくすることができる。
なお、図６には示されていないが、一方の接合部９も、他方の接合部１０と同様である。
【００３４】
図４に示されるように、吸収性物品３の剥離シート１０９と、包装シート５の内面２７とを連結する連結部６は、吸収性物品３（包装シート５）の長手方向Ｌに間欠的に配置されており、連結部６は、接合強度低下剤の塗工領域３７と、長手方向Ｌに離間している。そうすることにより、接合強度低下剤の塗工領域３７と離間している連結部６の連結力が低下しにくく、ひいては個包装体１の内部で吸収性物品３が動きにくく、意図しない衝撃等により、個包装体１の接合部が開封しにくくなる。
【００３５】
第１実施形態では、図１及び図２に示されるように、開封用タブ２１の粘着部２２の一部が、包装シート５の第３シート片３１において、内面２７に連結される連結部６と、包装シート５の厚さ方向に重複する、包装シート５の外面２８に貼付されている。
そうすることにより、包装シート５の連結部６が連結されている部分の強度が向上し、開封用タブ２１の把持部２３を把持して、個包装体１の開封部１９を開封する際に、包装シート５が裂けにくく、開封用タブ２１の粘着部２２に、裂けた包装シート５が付着しにくい。また、開封済みの包装シート５において、開封用タブ２１の粘着部２２に裂けた包装シート５が付着しにくく、その再粘着性が阻害されにくいので、使用済みの吸収性物品３を再包装しやすくなる。
【００３６】
第１実施形態では、一方の接合部９の第１接合部１１は、第１接合部１１を構成する２層の部分の間、すなわち、第１シート片２９及び第２シート片３０の間（第１接合部１１'の層間）と、第２シート片３０及び第３シート片３１の間（第１接合部１２''の層間）とに、接合強度低下剤を含まない。同様に、他方の接合部１０の第１接合部１２は、第１接合部１２の２層の部分の間、すなわち、第１シート片２９及び第２シート片３０の間（第１接合部１２'の層間）と、第２シート片３０及び第３シート片３１の間（第１接合部１２''の層間）とに、接合強度低下剤を含まない。
【００３７】
そうすることにより、一方の接合部９の第１接合部１１において、２層の部分の層間の接合強度が下がりにくく、一方の接合部９の第１接合部１１を構成する２層の部分の層間が、意図しない衝撃等で開封しにくい。また、他方の接合部１０の第１接合部１２において、２層の部分の層間の接合強度が下がりにくく、他方の接合部１０の第１接合部１２を構成する２層の部分の層間が、意図しない衝撃等で開封しにくい。
【００３８】
本開示の個包装体では、包装シートは、当技術分野で公知の素材から形成され、例えば、布帛（例えば、不織布、織物及び編物）、フィルム、紙、並びにこれらのラミネート等を挙げることができる。包装シートが布帛又は紙である場合には、第２接合部が含む接合強度低下剤が、個包装体の厚さ方向に移行しやすくなり、第２接合部において、接合強度低下剤が直接塗工された層間のみならず、それ以外の層間においても、接合強度が適度に下がりやすくなる。その結果、第２接合部全体において、接合強度が適度に下がりやすくなる。
【００３９】
また、包装シートがフィルムである場合には、第２接合部が含む接合強度低下剤が、個包装体の厚さ方向に移行しにくくなるので、第２接合部が、３層以上の部分のうち、開封部を形成する層以外の、お互いに隣接する２つの層の層間に接合強度低下剤を含む場合には、開封部の接合強度が低下しにくくなり、開封部がバッグの中等の意図しない衝撃等で開封しにくくなる。
【００４０】
第１実施形態では、吸収性物品３が、液不透過性シート１０３の着衣当接面１０５に、吸収性物品３を着衣に固定するための固定部１０７と、固定部１０７を剥離可能に固定する剥離シート１０９とを備えるが、本開示の別の実施形態に従う個包装体では、包装シートの、吸収性物品が固定される内面が離型性を有し、吸収性物品の剥離シートと、離型シート及び包装シートの内面を連結する連結部を含まない。そうすることにより、吸収性物品の、吸収性物品を着衣に固定するための固定部を、包装シートの内面に、直接、剥離可能に固定することができる。
離型性を有する包装シートとしては、シリコーン等により離型処理された包装シートが挙げられる。
【００４１】
本開示の個包装体では、接合強度低下剤は、包装シートの接合部の接合強度を低下させる化合物、組成物等の薬剤である。本開示の個包装体では、上記接合強度低下剤には、当技術分野で用いられている薬剤であって、包装シートの接合部の接合強度を下げるものが特に制限なく含まれる。
【００４２】
上記接合強度低下剤は、親油性を有することが好ましい。親油性を有する接合強度低下剤は、その極性が低く、包装シートに対する濡れ性が高く、接合強度低下剤が、包装シート上で濡れ拡がりやすく、接合強度が適度に低下する傾向があるからである。
例えば、包装シートが、ポリオレフィン（ポリエチレン、ポリプロピレン等）のフィルムである場合には、親油性を有し、その極性が低い接合強度低下剤が、ポリオレフィンのフィルム上で、そして折り畳まれた包装シートの第２接合部の層間において、薄く濡れ拡がる傾向を有する。
【００４３】
その結果、例えば、一対のエンボスロールにより、一対の接合部を形成する際に、薄く濡れ拡がった接合強度低下剤が、第２接合部において、お互いに隣接する２つの層（シート片）の間のスペーサーとして機能し、２つの層（シート片）同士が融着するのを抑制し、第２接合部の接合強度が適度に低下する。また、例えば、一対の接合部を、接着剤で接着することにより接合する場合には、接合強度低下剤が、接着剤と、シート片との間でスペーサーとして機能し、接着剤と、シート片との間の接触面積が少なくなり、第２接合部の接合強度が適度に低下する。
【００４４】
また、包装シートが、ポリオレフィンを含む繊維から形成された布帛である場合にも、親油性を有し、その極性が低い接合強度低下剤が、布帛の表面及び内部に濡れ拡がる傾向を有する。その結果、薄く濡れ拡がった接合強度低下剤が、折り畳まれた包装シートに接合部を形成する際にスペーサーとして機能し、第２接合部の層間の接合強度を、広く且つ適度に下げることができる。
【００４５】
本開示の個包装体では、上述の濡れ性の観点から、上記接合強度低下剤は、２５℃において、好ましくは６０ｍＮ／ｍ以下、より好ましくは５０ｍＮ／ｍ以下、さらに好ましくは４０ｍＮ／ｍ以下、そしてさらにいっそう好ましくは３０ｍＮ／ｍ以下の表面張力を有する。
【００４６】
上記表面張力は、ペンダントドロップ法により測定される。上記表面張力を測定するための測定機器としては、協和界面科学社製接触角計  Ｄｒｏｐ  Ｍａｓｔｅｒ５００が挙げられる。
上記表面張力を測定するために必要な密度ρは、ＪＩＳ  Ｋ  ２２４９−１：２０１１の「原油及び石油製品−密度の求め方−第１部：振動法」に従って、２５℃で測定される。密度の測定機器としては、京都電子工業株式会社のＤＡ−５０５が挙げられる。
【００４７】
上述の親油性を有する接合強度低下剤としては、オイルそのもの、オイル含有組成物等が挙げられる。
上記オイルとしては、疎水性物質、例えば、植物性油、動物性油、鉱物性油、例えば、鉱物油、炭化水素（例えば、パラフィン）、シリコーン油、フッ素油等が挙げられる。
【００４８】
上記接合強度低下剤の具体例としては、芳香剤、冷感剤、消臭剤、抗菌剤、スキンケア剤、インク等が挙げられる。
上記芳香剤としては、当技術分野で香料として用いられているものであれば、特に制限されず、香料、溶媒等を含みうる。
上記冷感剤としては、当技術分野で冷感剤として知られているものが挙げられ、例えば、皮膚の神経にある受容体活性化チャネル（ＴＲＰＭ８）に作用するもの、例えば、メントール（例えば、ｌ−メントール）及びその誘導体、サリチル酸メチル、カンファー、植物（例えば、ミント、ユーカリ）由来の精油等が挙げられる。
【００４９】
上記消臭剤としては、当技術分野で消臭剤として知られているものが挙げられる。
上記スキンケア剤としては、例えば、消炎機能、鎮痒機能、かぶれ防止機能、保湿機能等を有するもの、例えば、メントール、サリチル酸メチル等が挙げられる。
上記スキンケア剤としては、国際公開第２００３／００４０７０号，国際公開第２００３／０２８７７６号，国際公開第２００４／０３０７１３号，国際公開第２００４／０５８１１９号，国際公開第２００６／００９９９６号，国際公開第２００７／０２９１９８号，国際公開第２００９／０１３６６０号等に記載されるローション組成物等が挙げられる。
【００５０】
上記インクとしては、吸収性物品、包装シート等に文字、模様等を印刷するために用いられるインクが挙げられる。
なお、上記接合強度低下剤には、例えば、国際公開第２０１２／１３３７２４号に記載される血液改質剤、及び、例えば、国際公開第２０１３／１２９２３６号に記載される血液滑性付与剤が含まれる。
また、上記接合強度低下剤には、接着剤、例えば、感圧式接着剤、例えば、粘着剤等は含まれない。これらは、接合部の接合強度を高くするように作用するからである。
【００５１】
本明細書では、接合強度低下剤により、接合部の接合強度が低下しているか否かは、以下の通り評価される。
（１）２０℃の恒温室に、インストロン社製型式５５６４試験機を準備する。
（２）２０℃の恒温室に、１００ｍｍ×５０ｍｍのサイズの包装シートを準備する。
（３）包装シートの一方の面に、包装シートの幅方向軸線に沿って、幅約２０ｍｍで、接合強度低下剤を塗工する。
（４）包装シートの、上記一方の面の上に、新たな包装シートを積み重ね、一対の包装シートを形成する。
（５）一対の包装シートの長手方向軸線に沿って、一対のエンボスロールで、接合部を形成する。
【００５２】
（６）一対の包装シートの中心を中心として、５０ｍｍ×２５ｍｍのサイズの試験用試料を切り出す。なお、試験用試料は、一対の包装シートと、長手方向及び幅方向が一致するように切り出す。
（７）試験用試料の長手方向の一端において、試験用試料を構成する２枚の包装シートのそれぞれを、上記試験機の２つの治具に、距離：２０ｍｍでセットし、３００ｍｍ／分の速度で、試験用試料が２枚に分離するまで剥離試験（いわゆる、Ｔ型剥離試験）を行う。
（８）接合強度低下剤が塗工されている領域の剥離強度と、接合強度低下剤が塗工されていない領域の剥離強度を比較する。接合強度低下剤が塗工されている領域の剥離強度が、接合強度低下剤が塗工されていない領域のそれよりも小さい場合には、接合強度低下剤により、接合部の接合強度が低下したものと判断する。
【００５３】
図７は、本開示の別の実施形態（第２実施形態）に従う個包装体１を説明するための図であり、図１のＶＩ−ＶＩ端面における端面図に相当する。
第２実施形態に従う個包装体１は、長手方向Ｌ及び幅方向（図示せず）を有する吸収性物品（図示せず）と、包装シート５とを含む。包装シート５は、略矩形の形状を有し、吸収性物品と同一の長手方向Ｌ及び幅方向（図示せず）を有する。吸収性物品（図示せず）は、吸収性物品（図示せず）の長手方向（長手方向Ｌ）と、包装シート５の長手方向（長手方向Ｌ）とが平行となるように、連結部（図示せず）を介して包装シート５に連結されており、吸収性物品（図示せず）及び包装シート５が、それらの長手方向Ｌに、それらの幅方向（図示せず）と平行な３本の折軸Ｆ1，折軸Ｆ2及び折軸Ｆ3に沿って折り畳まれている。折り畳まれている包装シート５は、四折り（具体的には、巻々四折り）の折り畳み構造を有する。折り畳まれている吸収性物品（図示せず）もまた、四折り（具体的には、巻々四折り）の折り畳み構造を有する。
【００５４】
第２実施形態に従う個包装体１は、折り畳まれた包装シート５であって、２層の部分５１と、３層の部分５３と、４層の部分５５とを有する折り畳まれた包装シート５を接合している、一対の接合部、すなわち、一方の接合部（図示せず）及び他方の接合部１０を有する。一方の接合部（図示せず）及び他方の接合部１０のそれぞれは、折り畳まれた包装シート５を、その厚さ方向に間欠的にエンボスすることにより形成されている。一方の接合部（図示せず）及び他方の接合部１０は、それぞれ、包装シート５の長手方向Ｌの一方の側部及び他方の側部に配置されている。なお、図６において、他方の接合部１０は、理解のしやすさの観点から、その一部のみが示されている。
【００５５】
他方の接合部１０は、２層の部分５１から成る第１接合部５７と、３層の部分５３及び４層の部分５５からなる第２接合部５９とに区画される。
折り畳まれている包装シート５はまた、一方の端部２５及び折軸Ｆ1の間の第１シート片６１と、折軸Ｆ1及び折軸Ｆ2の間の第２シート片６２と、折軸Ｆ2及び折軸Ｆ3の間の第３シート片６３と、折軸Ｆ3及び他方の端部２６の間の第４シート片６４とに区画される。個包装体１では、第１シート片６１、第３シート片６３、第４シート片６４及び第２シート片６２が、その順番で積み重ねられている。
【００５６】
個包装体１において、包装シート５の第３シート片６３の折軸Ｆ3よりの内面２７には、接合強度低下剤が、一方の接合部（図示せず）から他方の接合部１０まで連続的に塗工され、接合強度低下剤の塗工領域（図示せず）が形成されている。その結果、図７に示されるように、他方の接合部１０の、４層の部分５５から形成される第２接合部５９は、その層間且つ折軸に接しない領域６５に接合強度低下剤（図示せず）を含む。具体的には、他方の接合部１０の、４層の部分５５から形成される第２接合部５９は、第１シート片６１、第３シート片６３、第４シート片６４及び第２シート片６２のうち、開封部１９を形成する層（すなわち、第１シート片６１）以外の、第３シート片６３及び第４シート片６４の間の領域６５に、接合強度低下剤を含む。
なお、一方の接合部（図示せず）も、他方の接合部１０と同様であるので説明を省略する。
【００５７】
第１実施形態では、一方の接合部９及び他方の接合部１０が、それぞれ、２層の部分１５及び１６から成る第１接合部１１及び１２と、３層以上の部分１７及び１８からなる第２接合部１３及び１４とに区画され、そして一方の接合部９の第２接合部１３と、他方の接合部１０の第２接合部１４の両方とが、その層間に結合強度低下剤を含む。そうすることにより、個包装体１において、吸収性物品３の取出し性に優れる。
本開示の別の実施形態に従う個包装体では、一対の接合部（一方の接合部及び他方の接合部）の少なくとも一方が、２層の部分から成る第１接合部と、３層以上の部分からなる第２接合部とに区画され、そして第２接合部が、その層間且つ折軸に接しない領域に接合強度低下剤を含む。そうすることにより、一方の接合部及び他方の接合部の少なくとも一方において、第２接合部の接合強度が適度に下がり、吸収性物品の取出し性が向上する。
【００５８】
第１実施形態及び第２実施形態では、吸収性物品３の長手方向Ｌと、包装シート５の長手方向Ｌとが平行であったが、本開示の別の実施形態に従う個包装体では、吸収性物品の長手方向と、包装シートの長手方向とが交差している、例えば、直交している。吸収性物品の長手方向と、包装シートの長手方向とが直交している場合には、一対の接合部は、包装シートの長手方向の両側部且つ吸収性物品の幅方向の両側部に配置されうる。
【００５９】
第１実施形態及び第２実施形態では、一対の接合部は、折り畳まれている包装シートをエンボスすることにより接合されているが、そのような実施形態では、折り畳まれている包装シートは、複数の突起部を有する賦形ロールと、アンビルロールとを備える一対のエンボスロールにより形成されることが好ましい。また、賦形ロールと、アンビルロールとは、一定の間隔を有していることが好ましい。一対の接合部において、厚さが厚いほど、すなわち、層数が多いほど接合強度が高くなる傾向があり、本願発明がその効果を発揮しやすいからである。
【００６０】
第１実施形態及び第２実施形態では、一対の接合部は、折り畳まれている包装シートをエンボスすることにより接合されたが、本開示の別の実施形態では、一対の接合部は、折り畳まれている包装シートの層間（各シート片の層間）を接着剤、例えば、感圧式接着剤、例えば、粘着剤等により接着することにより接合される。
なお、一対の接合部が、接着剤により接合される場合にも、接合部は、一定の間隔を有する一対のロール、例えば、一対のニップロール等により圧縮されることが好ましい。厚さが厚いほど、すなわち、層数が多いほど、接合強度が高くなる傾向があり、本願発明がその効果を発揮しやすいからである。
【００６１】
第１実施形態及び第２実施形態では、それぞれ、折り畳まれている包装シート５が、３層構造及び４層構造を有していたが、本開示の別の実施形態では、折り畳まれている包装シートが、５層以上の構造を有している。
【００６２】
第１実施形態及び第２実施形態では、それぞれ、個包装体１が、包装シート５の内面２７に、接合強度低下剤が一方の接合部９から他方の接合部１０まで連続的に塗工されている、接合強度低下剤の塗工領域３７及び６５を備えていたが、本開示の別の実施形態に従う個包装体では、接合強度低下剤が、一方の接合部から他方の接合部まで間欠的に、例えば、包装シートの内面及び又は外面の、一対の接合部を形成する部分にのみ塗工されていてもよい。そうすることにより、接合強度低下剤が吸収性物品と接触しにくくなり、固定部の固定強度が低下しにくくなる。なお、一対の接合部のそれぞれにおいて、第２接合部が確実に接合強度低下剤を含む観点からは、接合強度低下剤の塗工領域は、一方の接合部から、他方の接合部まで連続していることが好ましい。
【００６３】
第１実施形態及び第２実施形態では、一対の接合部のそれぞれは、すなわち、一方の接合部及び他方の接合部のそれぞれは、折り畳まれている包装シート５を、その厚さ方向に間欠的にエンボスすることにより形成されているが、本開示の別の実施形態に従う個包装体では、一方の接合部及び他方の接合部のそれぞれは、折り畳まれた包装シートを、その厚さ方向に連続的にエンボスすることにより形成されている。そうすることにより、個包装体の気密性が向上し、個包装体の内部にゴミ等が侵入しにくくなる。
【００６４】
本開示の個包装体の製造方法は、次の各ステップを含む。
（１）接合強度低下剤を、包装シートに塗工するステップ（以下、「塗工ステップ」と称する場合がある）
（２）吸収性物品を包装シートに連結するステップ（以下、「連結ステップ」と称する場合がある）
（３）吸収性物品及び包装シートを、２以上の折軸に沿って折り畳むステップ（以下、「折り畳みステップ」と称する場合がある）
（４）包装シートを、一対のエンボスロールでエンボスすることにより、一対の接合部を形成するステップ（以下、「接合部形成ステップ」と称する場合がある）
【００６５】
塗工ステップは、接合強度低下剤の粘度、接合強度低下剤の塗工範囲等に従って、当技術分野で公知の方法、例えば、非接触式のコーター、例えば、スパイラルコーター、カーテンコーター、スプレーコーター等、接触式のコーター等により実施される。
連結ステップは、吸収性物品が剥離シートを備える場合には、包装シートに、粘着剤を塗布して連結部を形成した後、実施されうる。
折り畳みステップ及び接合部形成ステップは、当技術分野で公知の方法に従って実施される。
【００６６】
本開示の個包装体において、一対の接合部のそれぞれの幅は、好ましくは１ｍｍ以上、より好ましくは２ｍｍ以上、そしてさらに好ましくは３ｍｍ以上である。第１接合部の２層の部分の層間が、意図しない衝撃等で開封しにくい観点からである。
本開示の個包装体において、一対の接合部のそれぞれの幅は、好ましくは８ｍｍ以下、より好ましくは７ｍｍ以下、そしてさらに好ましくは６ｍｍ以下である。個包装体の開封性を保持する観点からである。
【００６７】
本開示の個包装体では、一対の接合部のそれぞれにおいて、包装シートの内面又は外面が、コロナ処理又はプラズマ処理（以下、「コロナ処理等」と称する）されていてもよい。
コロナ処理等を行うことにより、接合強度低下剤の、包装シートの内面又は外面に対する濡れ性が向上し、接合強度低下剤が濡れ拡がり、第２接合部の全体において、接合強度が適度に低下しやすくなるからである。
【００６８】
本開示の個包装体において、吸収性物品としては、当技術分野で個包装体又はそれらのパッケージとして市販されているものが特に制限なく含まれ、例えば、生理用ナプキン、パンティーライナー、陰唇間パッド、タンポン、使い捨ておむつ、尿取りパッド等が挙げられる。
【符号の説明】
【００６９】
１    個包装体
３    吸収性物品
５    包装シート
６    連結部
７    一方の側部
８    他方の側部
９    接合部（一方の接合部）
１０    接合部（他方の接合部）
１１，１２    第１接合部
１３，１４    第２接合部
１５，１６    ２層の部分
１７，１８    ３層以上の部分
１９    開封部
２１    開封用タブ
２２    粘着部
２３    把持部
２５    一方の端部
２６    他方の端部
２７    内面
２８    外面
２９    第１シート片
３０    第２シート片
３１    第３シート片
３３    封止部
３５    領域
３７    塗工領域
１０１    液透過性シート
１０３    液不透過性シート
１０５    着衣当接面
１０７    固定部
１０９    剥離シート
１１１    エンボス部
Ｌ    長手方向
Ｗ    幅方向
Ｆ1，Ｆ2，Ｆ3    折軸
【要約】
本開示は、吸収性物品の取出し性に優れる個包装体を提供することを目的とする。本開示の個包装体は、以下の構成を有する。
吸収性物品（３）と、吸収性物品（３）が固定されている包装シート（５）とが、吸収性物品（３）を内側にして、２以上の折軸（Ｆ1，Ｆ2）に沿って折り畳まれている、吸収性物品の個包装体（１）であって、個包装体（１）が、折り畳まれ、２層の部分（１５，１６）と、３層以上の部分（１７，１８）とを有する包装シート（５）を接合している、一対の接合部（９，１０）を有し、一対の接合部（９，１０）の少なくとも一方が、２層の部分（１５，１６）から成る第１接合部（１１，１２）と、３層以上の部分（１７，１８）からなる第２接合部（１３，１４）とに区画され、そして第２接合部（１３，１４）が、その層間且つ上記折軸に接しない領域（３５）に、上記層間の接合強度を低下させる接合強度低下剤を含むことを特徴とする個包装体（１）。【図１】
0005951917.tif 000002
【図２】
0005951917.tif 000003
【図３】
0005951917.tif 000004
【図４】
0005951917.tif 000005
【図５】
0005951917.tif 000006
【図６】
0005951917.tif 000007
【図７】
0005951917.tif 000008